(57)【要約】【課題】コントラストの低下を低減でき、液晶パネルから出射した光を画面上下左右方向に拡散して好適な視野角を得ることができ、かつ、安価に製造できる光拡散シート、及び、このような光拡散シートを備える透過型表示装置を提供する。【解決手段】光拡散シート１２は、透過型表示装置の画像形成部よりも観察者側に配置され、第１単位光学形状１２３がその出射側の面に複数配列されて形成された第１光学形状層１２２と、第１光学形状層１２２の出射側に第１単位光学形状１２３を被覆するように形成され、第２単位光学形状１２５がその出射側の面に複数配列されて形成された第２光学形状層１２４とを備え、第１光学形状層１２２と第２光学形状層１２４とは異なる屈折率を有しているものとした。【選択図】図２
2013003272.tif 000002
【特許請求の範囲】
【請求項１】
透過型表示装置の画像形成部よりも観察者側に配置され、光を拡散させる光拡散シートであって、
第１単位光学形状がその出射側の面に複数配列されて形成された第１光学形状層と、
前記第１光学形状層の出射側に前記第１単位光学形状を被覆するように形成され、第２単位光学形状がその出射側の面に複数配列されて形成された第２光学形状層と、
を備え、
前記第１光学形状層と前記第２光学形状層とは異なる屈折率を有していること、
を特徴とする光拡散シート。
【請求項２】
請求項１に記載の光拡散シートにおいて、
前記第１単位光学形状及び前記第２単位光学形状は、柱状であり、その配列方向は、シート面の法線方向から見て所定の角度をなしていること、
を特徴とする光拡散シート。
【請求項３】
請求項２に記載の光拡散シートにおいて、
前記第１単位光学形状及び前記第２単位光学形状は、その配列方向が、シート面の法線方向から見て直交すること、
を特徴とする光拡散シート。
【請求項４】
請求項１から請求項３までのいずれか１項に記載の光拡散シートにおいて、
前記第１単位光学形状は、その配列方向に平行であってこの光拡散シートの厚み方向に平行な断面における断面形状が略三角形形状であること、
を特徴とする光拡散シート。
【請求項５】
請求項１から請求項４までのいずれか１項に記載の光拡散シートにおいて、
前記第２単位光学形状は、その配列方向に平行であってこの光拡散シートの厚み方向に平行な断面における断面形状が前記第１光学形状層側の幅が、出射側の幅に比べて大きい台形形状であること、
を特徴とする光拡散シート。
【請求項６】
請求項１から請求項５までのいずれか１項に記載の光拡散シートにおいて、
前記第２単位光学形状間の谷部となる部分には、前記第２光学形状層とは屈折率の異なる充填層が形成されていること、
を特徴とする光拡散シート。
【請求項７】
請求項５に記載の光拡散シートにおいて、
前記第２単位光学形状間の谷部となる部分には、前記第２光学形状層よりも屈折率の小さい充填層が形成されていること、
を特徴とする光拡散シート。
【請求項８】
請求項６又は請求項７に記載の光拡散シートにおいて、
前記充填層よりも出射側に、防眩機能、ハードコート機能、紫外線吸収機能、防汚機能、反射防止機能、帯電防止機能の少なくとも１つの機能を有する表面機能層を備えること、
を特徴とする光拡散シート。
【請求項９】
映像を表示する透過型表示部と、
前記透過型表示部を背面側から照明する面光源装置と、
前記透過型表示部よりも観察者側に配置される請求項１から請求項８までのいずれか１項に記載の光拡散シートと、
を備える透過型表示装置。
【発明の詳細な説明】
【技術分野】
【０００１】
本発明は、光拡散シートと、これを備える透過型表示装置とに関するものである。
【背景技術】
【０００２】
近年、液晶透過型表示装置が広く用いられている。液晶透過型表示装置では、液晶が発光するのではなく、面状に発行する光源（面光源装置）によって液晶パネルを背面から照明し、液晶パネルにマトリクス状に配列された液晶セルによって、光源からの光を透過又は遮蔽することにより、画像を表示している。
このような液晶透過型表示装置では、斜め方向から画面を観察した場合の色の変化（階調反転等）の低減や、明るい映像を表示するための透過率の向上等が常々課題となっている。
【０００３】
そのため、例えば、特許文献１のように、光源からの光を、なるべく方向のそろった平行光に近い光として液晶パネルに入射させ、液晶パネルを透過した光を光拡散シートにより広げることにより、液晶パネルを透過する透過率を向上させ、かつ、斜めから見たときの色の変化を少なくする方法が知られている。また、特許文献２のように、柱状の単位レンズが複数配列された２枚のレンズシートを貼り合わせることにより、画面上下方向及び画面左右方向に光を拡散する方法も知られている。
【先行技術文献】
【特許文献】
【０００４】
【特許文献１】特願平４−２８０４６５号公報
【特許文献２】特願２００１−２５６７８２号公報
【発明の概要】
【発明が解決しようとする課題】
【０００５】
しかし、特許文献１では、液晶パネルの観察者側に設けられる光拡散シートとして、表面に微小な凹凸形状を形成したものを用いているため、映像光だけでなく、外光も拡散されてしまう。そのため、観察者が画面を見たときに、映像光と外光が観察者に到達し、映像のコントラストが低下してしまうという問題があった。
また、特許文献２では、液晶パネルの観察者側に設けられる光拡散シートとして、単位レンズが配列されたレンズシートを用いているので、外光の拡散が少なく映像のコントラストの低下が少ない。しかし、特許文献２のような構成では、２枚のレンズシートを作製して貼り合わせなければならず、工程が長く、コストも高いという問題があった。
さらに、液晶透過型表示装置においては、その薄型化や低コスト化、良好な視野角やコントラストを実現することは、常々求められることである。
【０００６】
本発明の課題は、コントラストの低下を低減でき、液晶パネルから出射した光を画面上下左右方向に拡散して好適な視野角を得ることができ、かつ、安価に製造できる光拡散シート、及び、このような光拡散シートを備える透過型表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、透過型表示装置（１）の画像形成部よりも観察者側（Ｚ２側）に配置され、光を拡散させる光拡散シートであって、第１単位光学形状（１２３）がその出射側（Ｚ２側）の面に複数配列されて形成された第１光学形状層（１２２）と、前記第１光学形状層の出射側に前記第１単位光学形状を被覆するように形成され、第２単位光学形状（１２５）がその出射側の面に複数配列されて形成された第２光学形状層（１２４）と、を備え、前記第１光学形状層と前記第２光学形状層とは異なる屈折率を有していること、を特徴とする光拡散シート（１２，２２，３２）である。
請求項２の発明は、請求項１に記載の光拡散シートにおいて、前記第１単位光学形状（１２３）及び前記第２単位光学形状（１２５）は、柱状であり、その配列方向は、シート面の法線方向から見て所定の角度をなしていること、を特徴とする光拡散シート（１２，２２，３２）である。
請求項３の発明は、請求項２に記載の光拡散シートにおいて、前記第１単位光学形状（１２３）及び前記第２単位光学形状（１２５）は、その配列方向が、シート面の法線方向から見て直交すること、を特徴とする光拡散シート（１２，２２，３２）である。
【０００８】
請求項４の発明は、請求項１から請求項３までのいずれか１項に記載の光拡散シートにおいて、前記第１単位光学形状（１２３）は、その配列方向に平行であってこの光拡散シートの厚み方向に平行な断面における断面形状が略三角形形状であること、を特徴とする光拡散シート（１２，２２，３２）である。
請求項５の発明は、請求項１から請求項４までのいずれか１項に記載の光拡散シートにおいて、前記第２単位光学形状（１２５）は、その配列方向に平行であってこの光拡散シートの厚み方向に平行な断面における断面形状が、前記第１光学形状層（１２２）側の幅が出射側の幅（１２５ａ）に比べて大きい台形形状であること、を特徴とする光拡散シート（１２，２２，３２）である。
【０００９】
請求項６の発明は、請求項１から請求項５までのいずれか１項に記載の光拡散シートにおいて、前記第２単位光学形状（１２５）間の谷部となる部分には、前記第２光学形状層（１２４）とは屈折率の異なる充填層（１２６）が形成されていること、を特徴とする光拡散シート（２２，３２）である。
請求項７の発明は、請求項５に記載の光拡散シートにおいて、前記第２単位光学形状（１２５）間の谷部となる部分には、前記第２光学形状層（１２４）よりも屈折率の小さい充填層（１２６）が形成されていること、を特徴とする光拡散シート（２２，３２）である。
請求項８の発明は、請求項６又は請求項７に記載の光拡散シートにおいて、前記充填層（１２６）よりも出射側に、防眩機能、ハードコート機能、紫外線吸収機能、防汚機能、反射防止機能、帯電防止機能の少なくとも１つの機能を有する表面機能層（１２７）を備えること、を特徴とする光拡散シート（２２，３２）である。
【００１０】
請求項９の発明は、映像を表示する透過型表示部（１１）と、前記透過型表示部を背面側から照明する面光源装置（１０）と、前記透過型表示部よりも観察者側に配置される請求項１から請求項８までのいずれか１項に記載の光拡散シート（１２，２２，３２）と、を備える透過型表示装置（１）である。
【発明の効果】
【００１１】
本発明によれば、以下の効果を奏することができる。
（１）光拡散シートは、透過型表示装置の画像形成部よりも観察者側に配置され、光を拡散させる作用を有し、第１単位光学形状がその出射側の面に複数配列されて形成された第１光学形状層と、第１光学形状層の出射側に第１単位光学形状を被覆するように形成され、第２単位光学形状がその出射側の面に複数配列されて形成された第２光学形状層とを備え、第１光学形状層と第２光学形状層とは異なる屈折率を有しているものとした。従って、２枚のレンズシートを貼り合わせる必要がなく、部材数も削減できるので、光拡散シートの生産コストを低減できる。また、２つの単位光学形状による拡散作用により、良好な視野角を実現できる。さらに、２つの単位光学形状により光を拡散するので、外光を拡散することがなく、コントラストの低下を抑制できる。
【００１２】
（２）第１単位光学形状及び第２単位光学形状は、柱状であり、その配列方向は、シート面の法線方向から見て所定の角度をなしているので、２つの単位光学形状の配列方向において、それぞれ光を拡散させることができ、良好な視野角を得ることができる。
【００１３】
（３）第１単位光学形状及び第２単位光学形状は、その配列方向が、シート面の法線方向から見て直交するので、光を直交する２方向において拡散させることができ、略全方向にわたって良好な視野角を得ることができる。
【００１４】
（４）第１単位光学形状は、その配列方向に平行であってこの光拡散シートの厚み方向に平行な断面における断面形状が略三角形形状であるので、その配列方向において、２方向に光を偏向させて拡散させることができる。
【００１５】
（５）第２単位光学形状は、その配列方向に平行であってこの光拡散シートの厚み方向に平行な断面における断面形状が、第１光学形状層側の幅が出射側の幅に比べて大きい台形形状であるので、その配列方向において、３方向に光を偏向させて拡散させることができる。
【００１６】
（６）第２単位光学形状間の谷部となる部分には、第２光学形状層とは屈折率の異なる充填層が形成されているので、第２光学形状層と充填層との屈折率差により、光を屈折又は全反射させて偏向させ、拡散することができる。
【００１７】
（７）第２単位光学形状間の谷部となる部分には、第２光学形状層よりも屈折率の小さい充填層が形成されているので、第２光学形状層と充填層との屈折率差により、斜面に入射した光を全反射させて偏向させ、拡散することができ、より広い方向へ拡散させることができる。
【００１８】
（８）充填層よりも出射側に、防眩機能、ハードコート機能、紫外線吸収機能、防汚機能、反射防止機能、帯電防止機能の少なくとも１つの機能を有する表面機能層を備えるので、光拡散シートの光学特性や利便性をより向上させることができる。
【００１９】
（９）映像を表示する透過型表示部と、過型表示部を背面側から照明する面光源装置と、透過型表示部よりも観察者側に配置される光拡散シートとを備える透過型表示装置であるので、光を所望する方向へ拡散させることができ、略全方向にわたって良好な視野角を得ることができ、また、外光によるコントラスト低下が抑制された良好な映像を表示できる。
【図面の簡単な説明】
【００２０】
【図１】第１実施形態の透過型表示装置１を説明する図である。
【図２】第１実施形態の光拡散シート１２を説明する図である。
【図３】第１光学形状層１２２及び第２光学形状層１２４を説明する図である。
【図４】第１単位光学形状１２３の拡散作用を説明する図である。
【図５】第２単位光学形状１２５の拡散作用を説明する図である。
【図６】光拡散シート１２に入射する光の輝度分布図である。
【図７】光拡散シート１２から出射する光の画面上下方向における輝度分布図である。
【図８】光拡散シート１２から出射する光の画面左右方向における輝度分布図である。
【図９】第２実施形態の光拡散シート２２を説明する図である。
【図１０】第３実施形態の光拡散シート３２を説明する図である。
【図１１】変形形態の一例の光拡散シート４２を説明する図である。
【図１２】変形形態の一例の光拡散シート５２を説明する図である。
【図１３】第１単位光学形状１２３の変形形態を説明する図である。
【図１４】第２単位光学形状１２５の変形形態を説明する図である。
【図１５】変形形態の一例の光拡散シート９２を説明する図である。
【発明を実施するための形態】
【００２１】
以下、図面等を参照して、本発明の実施形態について説明する。
なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、特許請求の範囲の記載は、シートという記載で統一して使用した。従って、シート、板、フィルムの文言は、適宜置き換えることができるものとする。例えば、光学シートは、光学フィルムとしてもよいし、光学板としてもよい。
さらに、本明細書中に記載する各部材の寸法等の数値及び材料名等は、実施形態としての一例であり、これに限定されるものではなく、適宜選択して使用してよい。
【００２２】
（第１実施形態）
図１は、第１実施形態の透過型表示装置１を説明する図である。
透過型表示装置１は、ＬＣＤ（Ｌｉｑｕｉｄ  Ｃｒｙｓｔａｌ  Ｄｉｓｐｌａｙ）パネル１１と、面光源装置１０と、光拡散シート１２とを備える液晶透過型表示装置である。
なお、図中及び以下の説明において、透過型表示装置１の使用状態において、観察者がＬＣＤパネル１１を正面から観察した場合の画面上下方向（鉛直方向）をＹ方向、画面左右方向（水平方向）をＸ方向、厚み方向（奥行方向、観察画面に直交する方向）をＺ方向とする。観察者は、観察者側となるＺ２側から背面側となるＺ１側に向けて、ＬＣＤパネル１１の画面の表示を視認する。また、ＬＣＤパネル１１や光拡散シート１２の厚み方向（Ｚ方向）においては、Ｚ１側は、光の入射側であり、Ｚ２側は光の出射側でとなる。
さらに、特に断りが無い場合、画面左右方向、画面上下方向とは、透過型表示装置１及び面光源装置１０の使用状態における画面左右方向（Ｘ方向）、画面上下方向（Ｙ方向）であるとする。
【００２３】
ＬＣＤパネル１１は、映像を表示する液晶透過型表示部である。ＬＣＤパネル１１は、略矩形状の略平板状の部材である。ＬＣＤパネル１１には、ＴＮ（Ｔｗｉｓｔｅｄ  Ｎｅｍａｔｉｃ）方式のものや、ＶＡ（Ｖｉｒｔｉｃａｌ  Ａｌｉｇｎｍｅｎｔ）方式のもの、ＩＰＳ（Ｉｎ−Ｐｌａｃｅ−Ｓｗｉｔｃｈｉｎｇ）方式のもの等を適宜選択して使用できる。
面光源装置１０は、ＬＣＤパネル１１を背面側（Ｚ１側）から照明する光源部である。面光源装置１０としては、エッジライト型や直下型の面光源装置が使用できる。この面光源装置１０は、主として光をその出射面の法線方向に出射しており、その半値角は、例えば、±２０度程度か、又はそれ以下である。
光拡散シート１２は、ＬＣＤパネル１１の観察者側（Ｚ２側）に設けられ、ＬＣＤパネル１１を出射した光を拡散する作用を有している。
この光拡散シート１２は、ＬＣＤパネル１１の観察者側の面に一体に積層されていてもよいし、不図示の粘着剤等によりＬＣＤパネル１１の観察者側の面に接合されていてもよい。
【００２４】
図２は、第１実施形態の光拡散シートを説明する図である。図２では、光拡散シートの一部を拡大して示している。
光拡散シート１２は、厚み方向において、ＬＣＤパネル１１側から順に、基材層１２１と、第１光学形状層１２２と、第２光学形状層１２４とを備えている。
基材層１２１は、透明又は半透明なシート状の部材であり、この光拡散シート１２のベース（基材）となる部材である。
【００２５】
第１光学形状層１２２は、基材層１２１の観察者側（Ｚ２）側に一体に形成された層であり、その観察者側表面には、第１単位光学形状１２３がシート面に沿って複数配列されて形成されている。
ここで、シート面とは、そのシート全体として見たときにおける平面方向となる面を示すものであり、本明細書中、及び、特許請求の範囲においても同一の定義として用いている。例えば、光拡散シート１２のシート面は、光拡散シート１２全体として見たときにおける、光拡散シート１２の平面方向となる面であり、光拡散シート１２の入射面（ＬＣＤパネル１１側の面）やＬＣＤパネル１１の観察者側表面と平行な面である。
【００２６】
図３は、第１光学形状層１２２及び第２光学形状層１２４を説明する図である。図３（ａ）では、図２に示す矢印Ａ１−Ａ２断面（第１単位光学形状１２３の配列方向（Ｙ方向）に平行であって、シート面に直交する方向（Ｚ方向）における断面（ＹＺ面））の一部を拡大して示し、図３（ｂ）では、図２に示す矢印Ｂ１−Ｂ２断面（第２単位光学形状１２５の配列方向（Ｘ方向）に平行であって、シート面に直交する方向（Ｚ方向）における断面（ＸＺ面））の一部を拡大して示している。
第１単位光学形状１２３は、図２に示すように、略三角柱状であり、その長手方向を画面左右方向（Ｘ方向）とし、画面上下方向（Ｙ方向）に配列されている。この第１単位光学形状１２３の配列方向に平行であって、厚み方向に平行な断面形状は、図３（ａ）に示すように、底角をθ１とする略二等辺三角形状である。この第１単位光学形状１２３の配列ピッチはＰ１、底部の幅（画面上下方向における寸法）はＷ１、高さはｈ１であり、本実施形態では、Ｐ１＝Ｗ１である。
【００２７】
第２光学形状層１２４は、第１光学形状層１２２の観察者側（Ｚ２）側に一体に形成された層であり、その観察者側表面には、第２単位光学形状１２５がシート面に沿って複数配列されて形成されている。この第２光学形状層１２４は、第１光学形状層１２２とは異なる屈折率であり、第１光学形状層１２２とは屈折率差ΔＮ（ΔＮ≠０）を有している。また、第２光学形状層１２４は、第１単位光学形状１２３を被覆してその凹凸形状を埋めるように形成されている。
第２単位光学形状１２５は、図２に示すように、略台形柱状であり、その長手方向を画面上下方向（Ｙ方向）とし、画面左右方向（Ｘ方向）に配列されている。この第２単位光学形状１２５の配列方向に平行であって、厚み方向に平行な断面形状は、図３（ｂ）に示すように、基材層１２１側の幅（断面形状の下底の幅）Ｗ３が、観察者側の頂部１２５ａの幅Ｗ２より広い略台形状である。また、第２単位光学形状１２５は、配列ピッチがＰ２、高さ（厚み方向における第２単位光学形状１２５間の谷底から頂部１２５ａまでの寸法）がｈ２であり、配列ピッチＰ２は幅Ｗ３に等しく、Ｐ２＝Ｗ３である。また、本実施形態では、第２単位光学形状１２５の斜面１２５ｂ，１２５ｃは、いずれもシート面に直交する方向に対して角度θ２をなしており、頂部１２５ａは、シート面に平行である。
【００２８】
第２単位光学形状１２５間には楔状の溝部分（谷部）が形成されるが、その谷底部分からは、第１単位光学形状１２３の頂点は、露出していない形態となっている。
この第１光学形状層１２２及び第２光学形状層１２４は、いずれも、紫外線硬化型樹脂製であり、紫外線成形法により形成される。なお、これに限らず、第１光学形状層１２２及び第２光学形状層１２４は、例えば、電子線硬化型樹脂等の他の電離放射線硬化型樹脂を用いてもよいし、熱可塑性樹脂等を用いて形成してもよい。
【００２９】
図４は、第１単位光学形状１２３の拡散作用を説明する図である。図４では、図３（ａ）と同様の断面（図２に示すＡ１−Ａ２断面）の一部を拡大して示している。
光拡散シート１２の基材層１２１側から、光拡散シート１２のシート面に対して垂直に入射した光Ｌ１，Ｌ２は、基材層１２１を透過し、第１単位光学形状１２３のレンズ面１２３ａ，１２３ｂに入射する。このとき、第１光学形状層１２２と第２光学形状層１２４とは、屈折率が異なるので、レンズ面１２３ａ，１２３ｂを境に屈折率が異なっている。従って、光Ｌ１，Ｌ２は、レンズ面１２３ａ，１２３ｂで屈折して、第２光学形状層１２４へ進む。
【００３０】
このとき、第１光学形状層１２２の屈折率の方が第２光学形状層１２４の屈折率よりも大きい場合、図４（ａ）に示すように、光Ｌ１，Ｌ２は、レンズ面１２３ａ，１２３ｂに対する入射角よりも出射角の方が大きくなる方向へ進む。
また、第１光学形状層１２２の屈折率の方が第２光学形状層１２４の屈折率よりも小さい場合には、図４（ｂ）に示すように、光Ｌ１，Ｌ２は、レンズ面１２３ａ，１２３ｂに対する入射角よりも出射角の方が小さくなる方向へ進む。
いずれにしても、第１光学形状層１２２と第２光学形状層１２４との屈折率が異なると、光拡散シート１２の基材層１２１に対して垂直方向から入射した光は、図４に示すように、画面上下方向において、シート面の法線方向に対して角度を有する２方向に進むことになり、光を拡散させることができる。
【００３１】
図５は、第２単位光学形状１２５の拡散作用を説明する図である。図５では、図３（ｂ）と同様の断面（図２に示すＢ１−Ｂ２断面）の一部を拡大して示している。
光拡散シート１２の基材層１２１に、シート面の法線方向から入射した光は、上述のように第１単位光学形状１２３によって、画面上下方向（Ｙ方向）における拡散作用を受けるが、画面左右方向における拡散作用は殆ど受けない。従って、第１単位光学形状１２３から出射した光は、画面左右方向（Ｘ方向）においては、シート面に直交する方向へ進み、第２単位光学形状１２５へ入射する。
【００３２】
画面左右方向（Ｘ方向）において、第２単位光学形状１２５にシート面の法線方向から入射した光Ｌ４〜Ｌ６のうち、頂部１２５ａに入射した光Ｌ４は、シート面に平行な頂部１２５ａに対して直交する方向に入射するので、そのままシート面に直交する方向へ出射する。
これに対して、第２単位光学形状１２５の斜面１２５ｂ，１２５ｃは、シート面に対して角度を成しており、かつ、空気（屈折率１）に接している。第２光学形状層１２４（第２単位光学形状１２５）の屈折率が空気の屈折率より大きいので、この斜面１２５ｂ，１２５ｃに入射する光の臨界角は、９０度以下となる。通常の樹脂の屈折率（例えば、屈折率１．４〜１．７程度）であれば、臨界角は４２度程度であり、第２単位光学形状１２５の斜面１２５ｂ，１２５ｃに入射する光Ｌ５，Ｌ６の入射角はそれより大きい。
従って、図５に示すように、光Ｌ５，Ｌ６は、斜面１２５ｂ，１２５ｃで全反射し、頂部１２５ａへ入射し、頂部１２５ａで屈折して第２単位光学形状１２５から出射する。この光Ｌ５，Ｌ６は、画面左右方向において、シート面の法線方向に対して角度をなす方向へ出射している。従って、第２単位光学形状１２５からの出射光は、画面左右方向において、入射光に比べて出射光の方が拡散され、広がった光となる。
【００３３】
光拡散シート１２による拡散作用について、さらに詳しく説明する。
上記のように、光拡散シート１２では、シート面の法線方向から入射してくる光を、第１単位光学形状１２３によって、画面上下方向（Ｙ方向）において、斜め２方向に進ませることができ、第２単位光学形状１２５によって、画面左右方向（Ｘ方向）において、３方向へ進ませることができる。
図６は、光拡散シート１２に入射する光の輝度分布図である。
図７は、光拡散シート１２から出射する光の画面上下方向における輝度分布図である。
図８は、光拡散シート１２から出射する光の画面左右方向における輝度分布図である。
この光拡散シート１２に対して、画面上下方向（Ｙ方向）及び画面左右方向（Ｘ方向）において、いずれも、図６に示すように、光拡散シート１２のシート面の法線方向に対して−α及び＋αの半値角のガウシアン分布を有する光が入射したとする。
光拡散シート１２は、画面上下方向（Ｙ方向）において、第１単位光学形状１２３の斜面１２３ａ，１２３ｂでの屈折と、第２光学形状層１２４から出射する際の屈折とにより、光拡散シート１２のシート面の法線方向に対して、−βの方向、及び＋βの方向に光を出射するとする。このとき、画面上下方向において、光拡散シート１２への入射光の半分の光が−βの方向を中心としたガウシアン分布で表される方向に進み、残りの半分の光は＋βの方向を中心としたガウシアン分布で表される方向に進む。
光拡散シート１２からの出射光は、これらの光を重ね合わせたものであるから、画面上下方向（Ｙ方向）においては、図７に示すような輝度分布を有する。この図７からわかるように、この画面上下方向における出射光の輝度分布の半値角は、約±（β＋α）となる。従って、光拡散シート１２の第１単位光学形状１２３によって、画面上下方向において、光を拡散させることができる。
【００３４】
また、図６に示すように、画面左右方向（Ｘ方向）における輝度分布が、シート面の法線方向に対して半値角±αであるガウシアン分布を有する光が光拡散シート１２に入射したとする。
入射光のうち約３分の１が、第２単位光学形状１２５の頂部１２５ａに入射し、そのままの方向へ出射し、残り約３分の１が、第２単位光学形状１２５の斜面１２５ｂに入射して−γの方向に出射し、残りの約３分の１が、第２単位光学形状１２５の斜面１２５ｃに入射して＋γ方向に出射するとする。
光拡散シート１２からの出射光は、これらの光を合成したものであるので、画面左右方向（Ｘ方向）においては、図８に示すような輝度分布を有する。この図８からわかるように、この画面左右方向における出射光の輝度分布の半値角は、約±（γ＋α）となる。従って、画面左右方向において、光拡散シート１２の第２単位光学形状１２５により、光を拡散することができる。
【００３５】
なお、角度±βは、入射光の半値角±αと等しいか、それより小さくなるように第１単位光学形状１２３を設計することが、正面方向の輝度の低下を抑制する観点から好ましい。また、角度±γは、入射光の半値角の２倍となる±２αと等しいか、それより小さくなるように第２単位光学形状１２５を設計することが、正面方向の輝度の低下を抑制する観点から好ましい。
以上のことから、光拡散シート１２全体で考えると、第１単位光学形状１２３により、画面上下方向（Ｙ方向）に光が広げられ、第２単位光学形状１２５により、画面左右方向（Ｘ方向）に光が広げられるので、光拡散シート１２からの出射光は、入射光に比べて、画面上下方向及び画面左右方向に、より拡散され、より広い輝度分布を有する光となる。
【００３６】
よって、本実施形態の光拡散シート１２によれば、画面上下方向（Ｙ方向）及び画面左右方向（Ｘ方向）に光を拡散して広げることができ、略全方向にわたって良好な視野角を得ることができる。また、本実施形態によれば、外光を拡散することがないので、高いコントラストの映像が得られる。
ここで、上述のように、一般的には、第１単位光学形状１２３よりも、第２単位光学形状１２５の方が、光を広い範囲に広げることができる。本実施形態の光拡散シート１２は、このように光を広げる性能の異なる単位光学形状の配列方向を直交させることにより、シート面に対して直交する２方向（画面上下方向及び画面左右方向）で光の広がり方を異ならせることができる。透過型表示装置１が、一般的な液晶テレビジョン等として用いられる場合、画面上下方向よりも画面左右方向の視野角が広いことが好まれる。従って、本実施形態によれば、上述のように、画面左右方向の方が画面上下方向よりも広く光を広げることができるので、必要な方向にのみに光を広げることができ、光を有効に使用できるという利点がある。
さらに、本実施形態によれば、第１光学形状層１２２の観察者側に第２光学形状層１２４を直接形成しているので、部材数を削減でき、２枚のレンズシートを貼り合わせる等の工程も不要である。従って、材料費等のコスト低減でき、安価に製造できる。また、光拡散シートとしての厚さも低減でき、薄型化することができる。
【００３７】
（第２実施形態）
図９は、第２実施形態の光拡散シート２２を説明する図である。
第２実施形態の光拡散シート２２は、第２光学形状層１２４の第２単位光学形状１２５間の楔状の溝部分に、第２光学形状層１２４よりも屈折率の低い樹脂を充填している点が、上述の第１実施形態とは異なる以外は、第１実施形態の光拡散シート１２と同様の形態である。従って、前述した第１実施形態と同様の機能を果たす部分には、同一の符号又は末尾に同一の符号を付して、重複する説明を適宜省略する。
この第２実施形態の光拡散シート２２は、前述の第１実施形態の光拡散シート１２のように、ＬＣＤパネル１１の観察者側（Ｚ２側）に配置されて透過型表示装置１に用いられる。
【００３８】
本実施形態の光拡散シート２２は、ＬＣＤパネル１１側から順に、基材層１２１と、第１光学形状層１２２と、第２光学形状層１２４と、充填層１２６とを備えている。
充填層１２６は、第２光学形状層１２４の第２単位光学形状１２５間の楔状の溝部分を充填するように設けられる層である。充填層１２６は、光透過性を有し、第２光学形状層１２４よりも屈折率の低い樹脂により形成される。この充填層１２６は、図９に示すように、第２単位光学形状１２５の頂部１２５ａも被覆するように形成してもよいし、第２単位光学形状１２５間の楔状の溝部分を充填するが、頂部１２５ａは被覆しない形態としてもよい。
この充填層１２６の屈折率と第２光学形状層１２４の屈折率とは、第２単位光学形状１２５の斜面１２５ｂ，１２５ｃの臨界角が斜面１２５ｂ，１２５ｃに入る光（例えば、図４の光Ｌ５，Ｌ６）の入射角よりも、大きくなるように設定すればよい。
【００３９】
本実施形態のような光拡散シート２２とすれば、第１実施形態の効果に加えて、光拡散シート２２の観察者側表面が、略平面状となるので、より視認性が向上するという効果が得られる。また、本実施形態によれば、光拡散シート２２の観察者側表面に、埃やゴミ等が付着した場合にも除去が容易に行える。
【００４０】
（第３実施形態）
図１０は、第３実施形態の光拡散シート３２を説明する図である。
第３実施形態の光拡散シート３２は、第１実施形態に示した基材層１２１、第１光学形状層１２２、第２光学形状層１２４と、第２実施形態に示した充填層１２６とを備え、さらに、充填層１２６より観察者側に表面機能層１２７を備えている点が、前述の第１実施形態とは異なる以外は、第１実施形態の光拡散シート１２と同様の形態である。従って、前述した第１実施形態及び第２実施形態と同様の機能を果たす部分には、同一の符号又は末尾に同一の符号を付して、重複する説明を適宜省略する。
この第３実施形態の光拡散シート３２は、前述の第１実施形態の光拡散シート１２のように、ＬＣＤパネル１１の観察者側（Ｚ２側）に配置されて透過型表示装置１に用いられる。
【００４１】
第３実施形態の光拡散シート３２は、ＬＣＤパネル１１側から順に、基材層１２１と、第１光学形状層１２２と、第２光学形状層１２４と、充填層１２６と、表面機能層１２７とを備えている。
表面機能層１２７は、充填層１２６の観察者側（Ｚ２側）に設けられる層であり、例えば、防眩機能及び反射防止機能を備える層である。本実施形態では、充填層１２６により、観察者側（Ｚ２側）表面が略平面状となっているので、表面機能層１２７を容易に配置することができる。
表面機能層１２７は、充填層１２６を介して第２光学形状層１２４に接合される形態としてもよいし、不図示の光透過性を有する粘着剤等により充填層１２６に接合される形態としてもよい。
【００４２】
このような表面機能層１２７を備えることにより、光拡散シート３２の観察者側（Ｚ２側）表面に生じる照明光等の外光の映りこみを防止でき、映像の視認性を向上できる。なお、表面機能層１２７は、上述のような防眩機能や反射防止機能に限らず、例えば、紫外線吸収機能や、ハードコート機能、帯電防止機能、防汚機能、タッチパネル機能等、所望する光学性能等に応じて、適宜選択して設けることができる。
本実施形態によれば、第１実施形態の効果に加えて、光拡散シート３２の観察者側表面に、各種機能を有する表面機能層１２７を設けることができ、画質や視認性、利便性等の向上を図ることができる。
【００４３】
（実施例）
上述の第１実施形態及び第３実施形態の実施例となる実施例１の光拡散シート及び実施例２の光拡散シートを作成し、実際に透過型表示装置１のＬＣＤパネル１１の観察者側に積層し、光の拡散度合いを評価した。
実施例１，２の光拡散シートの各部の寸法等は、以下の通りである。
サイズ：横（画面左右方向）９００ｍｍ，縦（画面上下方向）５００ｍｍ，ＬＣＤパネル１１の画面サイズ対角４０インチ相当
基材層１２１：５０μｍ厚の透明なポリエチレンテレフタレートフィルム
第１単位光学形状１２３：頂角９０度、底角θ１＝４５度とする二等辺三角柱形状
長手方向を画面左右方向とし、画面上下方向に配列
配列ピッチＰ１＝５０μｍ
高さｈ１＝２５μｍ
屈折率１．４９
第２単位光学形状１２５：台形柱形状（断面形状は、略等脚台形状）
長手方向を画面上下方向とし、画面左右方向に配列
角度θ２＝６°（斜面１２５ｂ，１２５ｃがシート面の法線方向に対してなす角度）
高さｈ２＝９５μｍ
頂部１２５ａの幅Ｗ２＝１０μｍ
配列ピッチＰ２（底部の幅Ｗ３）＝３０μｍ
屈折率１．６４
実施例１の光拡散シートは、上述の基材層１２１と、上述の第１単位光学形状１２３が複数形成された第１光学形状層１２２と、上述の第２単位光学形状１２５が複数形成された第２光学形状層１２４とを備えるものとした。
実施例２の光拡散シートは、実施例１の光拡散シートの観察者側（Ｚ２側）に、表面機能層１２７として、その表面が粗面（中心線平均粗さ（ＪＩＳ  Ｂ  ０６０１−１９８２）Ｒａ＝０．１μｍ）であり、その表面での反射率を０．７％としたトリアセチルセルロースフィルム（５０μｍ厚）を、充填層１２６（屈折率１．４９の光透過性を有する樹脂製）を介して貼り合せて作成した。
【００４４】
（評価）
実施例１，２の光拡散シートに、輝度分布がシート面の法線方向に対して半値角±約１０度のガウシアン分布である光を垂直に入射させ、光拡散シートからの出射光の輝度分布を測定した。すると、画面上下方向（Ｙ方向）における出射光の輝度分布の半値角が±約２０度、画面左右方向（Ｘ方向）の出射光の輝度分布の半値角が±約３０度となった。
次に、面光源装置１０として、その出光面（ＬＣＤパネル１１側の面）から、輝度分布が出光面の法線方向に対して半値角±約１０度のガウシアン分布である光を出射するものを用意し、その観察者側（出射側）にＬＣＤパネル１１を備え、ＬＣＤパネル１１の観察者側に実施例１の光拡散シート又は実施例２の光拡散シートをそれぞれ備える実施例１，２の透過型表示装置を作成し、実際に映像を表示して映像の明るさや視認性等を評価した。
実施例１，２の透過型表示装置は、いずれも、画面上下方向（Ｙ方向）において、シート面（観察画面）の法線方向に対して±約２０度、画面左右方向（Ｘ方向）において、シート面（観察画面）の法線方向に対して±約３０度の範囲では、輝度が高く、コントラストの高い鮮明な画像を視認することができた。また、実施例２の透過型表示装置では、表面機能層１２７により、コントラスト向上効果や映像の視認性向上効果をさらに高めることができた。
【００４５】
以上のことから、各実施形態によれば、ＬＣＤパネル１１からの光を、画面上下方向及び画面左右方向に拡散させることができ、全方向にわたって良好な視野角を得ることができる。
また、各実施形態によれば、外光を拡散しないので、高いコントラストの映像が得られる。
さらに、各実施形態によれば、第１光学形状層１２２の第１単位光学形状１２３の上に、第１単位光学形状１２３の配列方向と直交する方向に配列された第２単位光学形状１２５を有する第２光学形状層１２４が形成されるので、基材層１２１が１枚で済み、また、２枚のレンズシートを貼り合わせる必要もないので、生産コストを低減でき、かつ、光拡散シート及び透過型表示装置の薄型化を実現できる。
【００４６】
（変形形態）
以上説明した各実施形態に限定されることなく、種々の変形や変更が可能であって、それらも本発明の範囲内である。
（１）各実施形態において、第１単位光学形状１２３が略三角柱形状であり、第２単位光学形状１２５が略台形柱形状である例を示したが、これに限らず、例えば、以下のような形態の光拡散シートとしてもよい。
【００４７】
図１１は、変形形態の一例の光拡散シート４２を説明する図である。図１１（ａ）は、光拡散シート４２の一部を拡大して示した図であり、図１１（ｂ）は、図１１（ａ）に示す矢印Ｂ１−Ｂ２断面（ＸＺ面）の一部を拡大して示した図であり、図１１（ｃ）は、図１１（ａ）に示す矢印Ａ１−Ａ２断面（ＹＺ面）の一部を拡大して示した図である。
この変形形態の光拡散シート４２は、ＬＣＤパネル１１側から順に、基材層１２１と、第１光学形状層４２２と、第２光学形状層４２４と、充填層１２６と、表面機能層１２７とを備えている。
【００４８】
第１光学形状層４２２は、その観察者側（Ｚ２側）の面に、第１単位光学形状４２３が、複数配列されて形成されている。この第１単位光学形状４２３は、略台形柱形状であり、その長手方向を画面上下方向（Ｙ方向）とし、画面左右方向（Ｘ方向）に複数配列されている。
第２光学形状層４２４は、その観察者側（Ｚ２側）の面に、第２単位光学形状４２５が、複数配列されて形成されている。この第２単位光学形状４２５は、略二等辺三角柱形状であり、その長手方向を画面左右方向（Ｘ方向）とし、画面上下方向（Ｙ方向）に複数配列されている。
すなわち、この変形形態の光拡散シートは、第１〜第３実施形態における第１光学形状層１２２及び第２光学形状層１２４の厚み方向（Ｚ方向）における位置を入れ変えたものに相当する。このような形態としても、上述の第１〜第３実施形態と同様な拡散特性が得られる。
【００４９】
図１２は、変形形態の一例の光拡散シート５２を説明する図である。図１２（ａ）は、光拡散シート５２の一部を拡大して示した図であり、図１２（ｂ）は、図１２（ａ）に示す矢印Ａ１−Ａ２断面（ＹＺ面）の一部を拡大して示した図であり、図１２（ｃ）は、図１２（ａ）に示す矢印Ｂ１−Ｂ２断面（ＸＺ面）の一部を拡大して示した図である。
この変形形態の光拡散シート５２は、ＬＣＤパネル１１側から順に、基材層１２１と、第１光学形状層１２２と、第２光学形状層５２４と、充填層１２６と、表面機能層１２７とを備えている。
【００５０】
図１２に示すように、第１単位光学形状１２３及び第２単位光学形状５２５をいずれも、略二等辺三角柱形状としてもよい。このような形態とし、さらに、第１光学形状層１２２と第２光学形状層５２４との屈折率差の絶対値と、第２光学形状層５２４と充填層１２６との屈折率差の絶対値とを同じ値とした場合には、画面上下方向（Ｙ方向）及び画面左右方向（Ｘ方向）、すなわち全方向の光の広がりが略均等となる光拡散シートとすることができる。また、このような形態とし、さらに、第１光学形状層１２２と第２光学形状層５２４との屈折率差の絶対値と、第２光学形状層５２４と充填層１２６との屈折率差の絶対値とを異なる値とした場合には、画面上下方向（Ｙ方向）と画面左右方向（Ｘ方向）とにおいて、光の広がりが異なる光拡散シートとすることができる。従って、光拡散シート５２の第１光学形状層１２２、第２光学形状層５２４、充填層１２６の屈折率を調整することにより、透過型表示装置１において所望の視野角を容易に実現できる。
【００５１】
なお、図１２に示すような形態とする場合、充填層１２６の屈折率は、所定の屈折率差を有するのであれば、第２光学形状層５２４よりも大きくともよいし、小さくともよい。また、第１単位光学形状１２３と第２単位光学形状５２５は、同寸法の略二等辺三角形柱形状としてもよいし、その配列ピッチや底角θ１が異なっていてもよい。
なお、図示しないが、第１単位光学形状及び第２単位光学形状を、いずれも略台形柱形状とし、その配列方向が直交する形態としてもよい。
【００５２】
図１５は、変形形態の一例の光拡散シート９２を説明する図である。
この変形形態の光拡散シート９２は、ＬＣＤパネル１１側から順に、セパレータ層９２８と、第１光学形状層９２２と、第２光学形状層１２４と、充填層１２６と、表面機能層１２７とを備えている。
この変形形態における第１光学形状層９２２は、光透過性を有する粘着材により形成されている。この第１光学形状層９２２は、第２光学形状層１２４のＬＣＤパネル１１側（Ｚ１側）に形成された第１単位光学形状１２３の凹状の溝に、粘着材が充填されて形成される。この粘着材としては、適宜、紫外線硬化型等のエネルギー反応型の粘着材や、感圧型の粘着材等を用いることができる。
そして、厚み方向において、この第１光学形状層９２２の第２光学形状層１２４とは反対側（Ｚ１側）の表面には、セパレータ層９２８が積層されている。このセパレータ層９２８は、第１光学形状層９２２の粘着材に対して剥離可能に処理されたシート状の部材である。
【００５３】
このような光拡散シート９２とすることにより、セパレータ層９２８を剥離して、ＬＣＤパネル１１の観察者側表面に、直接、光拡散シート９２を積層することができる。従って、光拡散シートをＬＣＤパネル１１の観察者側表面に貼合する場合に使用される粘着材や、基材層１２１を省くことができ、低コスト化や薄型化を実現できる。
なお、光拡散シート９２において、充填層１２６の観察者側に表面機能層１２７を設ける例を示したが、これに限らず、例えば、剥離可能なシート状の部材である不図示の剥離層を配置してもよい。このような形態とした場合には、ＬＣＤパネル１１に光拡散シート９２を貼合した後に、剥離層を剥離することができ、貼合作業が容易に行える。なお、このような剥離層は、表面機能層１２７の観察者側に積層してもよい。
なお、図１１，１２、１５に示した光拡散シート４２，５２，９２では、充填層１２６や表面機能層１２７を備える例を示したが、これに限らず、充填層１２６及び表面機能層１２７を備えない形態としてもよいし、充填層１２６を備えるが表面機能層１２７を備えない形態としてもよい。
【００５４】
（２）各実施形態において、第１単位光学形状１２３は、略二等辺三角柱形状であり、その配列方向（Ｙ方向）に平行であって厚み方向（Ｚ方向）に平行な断面における断面形状が、略二等辺三角形状である例を示したが、これに限らず、以下のような形状としてもよい。
図１３は、第１単位光学形状１２３の変形形態を説明する図である。なお、図１３では、理解を容易にするために、第２光学形状層等は省略して示している。
図１３（ａ）に示す第１光学形状層６２２のように、第１単位光学形状は、その頂部が観察者側に凸となる曲面から形成される第１単位光学形状６２３としてもよい。
このような形態とすることにより、第１単位光学形状６２３の頂点近傍から出射する光を拡散することができ、出射光の輝度分布において、シート面の法線方向近傍における輝度分布の変化をより滑らかな変化とすることができる。
また、このような形態とすると、第１単位光学形状６２３を賦形する成形型の切削を行う際に、切削に用いるバイトの頂部を丸くすることができるので、切削加工時のバイトの欠け等を低減でき、容易かつ安価に加工が行える。よって、光拡散シート１２の製造が容易に行える。
【００５５】
また、図１３（ｂ）に示すように、第１単位光学形状は、第１単位光学形状の斜面７２３ａ，７２３ｂが観察者側に凸となる曲面からなる第１単位光学形状７２３としてもよい。このとき、第１単位光学形状７２３間の谷部に近い部分の斜面の接線Ｔ１がシート面に対してなす角度（図１３（ｂ）に示す例では６０度）は、第１単位光学形状７２３の頂点に近い部分の接線Ｔ２がシートに対してなす角度（図１３（ｂ）に示す例では４５度）よりも大きくなるような曲線としている。
このような形態とすることにより、第１単位光学形状７２３間の谷部において、シート面の法線方向に対してより大きな角度をなす方向へ光が屈折して出射するので、より広い範囲に光が広げられるという利点がある。
【００５６】
さらに、図１３（ｃ）に示すように、第１単位光学形状は、第１単位光学形状の斜面８２３ａ，８２３ｂが、それぞれ傾斜角度の異なる２つの平面（８２３ａ−１，８２３ａ−２、８２３ｂ−１，８２３ｂ−２）を有する第１単位光学形状８２３としてもよい。このとき、第１単位光学形状８２３間の谷部に近い部分の平面８２３ａ−２，８２３ｂ−２がシート面に対してなす角度θ３（図１３（ｃ）に示す例では４５度）は、第１単位光学形状８２３の頂点に近い部分の平面８２３ａ−１，８２３ｂ−１がシート面に対してなす角度θ４（図１３（ｃ）に示す例では６０度）よりも小さいほうが好ましい。
このような形態とすることにより、より広い範囲に光を広げることができ、より好適な視野角を実現できる。
【００５７】
さらに、各実施形態において、第１単位光学形状１２３は、その配列方向（Ｙ方向）において、対称な形状である例を示したが、これに限らず、第１単位光学形状１２３は、画面上下方向において非対称な形状としてもよい。このような形態とすることにより、第１単位光学形状１２３の配列方向である画面上下方向（Ｙ方向）における出射光の輝度分布をシート面の法線方向に対して非対称なものとすることができ、使用環境や所望する光学特性等に応じてより柔軟な設計を行うことができる。
【００５８】
（３）各実施形態において、第２単位光学形状１２５は、略台形柱形状である例を示したが、これに限らず、例えば、以下のような形態としてもよい。
図１４は、第２単位光学形状１２５の変形形態を説明する図である。
図１４（ａ）に示すように、頂部６２５ａを、凹状の曲面とした第２単位光学形状６２５としたり、図示しないが凸状の曲面とした第２単位光学形状としたりしてもよい。このような形態とすることにより、第２単位光学形状６２５の頂部６２５ａに対してシート面に直交する方向から入射する光が頂部６２５ａで屈折して拡散されて出射する。従って、画面左右方向における出射光の輝度分布において、正面方向近傍の進行分布の凹凸（ムラ）が改善され、より滑らかな分布になる。これにより、画面左右方向において、斜め方向から観察した場合の明るさの均一性を向上できる。
また、例えば、斜面１２５ｂ，１２５ｃを曲面（凹曲面又は凸曲面）としてもよい。このような形態とすることにより、斜面１２５ｂ，１２５ｃで全反射して頂部１２５ａから出射する光の出射角度方向を広げることができ、好適な視野角を確保できる。
さらに、各実施形態において、第２単位光学形状１２５は、その配列方向（Ｘ方向）において、対称な形状である例を示したが、これに限らず、その配列方向において非対称な形状としてもよい。
【００５９】
また、図１４（ｂ）に示すように、第２単位光学形状１２５間の楔形状の溝部分に、第２光学形状層１２４よりも屈折率が低い黒色等の暗色系の顔料や染料を含有した樹脂や暗色系インキ等による充填層７２６を形成した形態としてもよい。このような形態とすることにより、不要な外光を吸収することができ、映像のコントラストを高めることができる。
さらに、各実施形態において、充填層１２６が第２単位光学形状１２５間の楔状の溝部を充填する例を示したが、これに限らず、第２単位光学形状１２５の斜面に沿って、第２光学形状層１２４よりも屈折率の低い樹脂の膜等を形成する形態としてもよい。
【００６０】
（４）各実施形態において、第１単位光学形状１２３が画面上下方向（Ｙ方向）に配列され、第２単位光学形状１２５が画面左右方向（Ｘ方向）に配列される例を示したが、これに限らず、例えば、第１単位光学形状１２３を画面左右方向（Ｘ方向）に配列し、第２単位光学形状１２５を画面上下方向（Ｙ方向）に配列する形態としてもよい。このような形態とした場合、画面上下方向の方が画面左右方向に比べて光が広がるので、所望する光学特性や使用環境等に応じて、このような形態を採用してもよい。
また、各実施形態において、第１単位光学形状１２３が画面上下方向（Ｙ方向）に配列される例を示したが、これに限らず、例えば、第１単位光学形状１２３が画面上下方向に対して角度をなす方向に配列される形態としてもよい。このような形態とすることにより、モアレの低減が期待できる。
なお、このように、第１単位光学形状１２３がバイアスを有して配列される場合、第２単位光学形状１２５は、画面左右方向に配列してもよいし、第１単位光学形状１２３の配列方向に直交する方向（画面左右方向に対して角度をなす方向）に配列してもよい。
【００６１】
（５）各実施形態において、第１光学形状層１２２及び第２光学形状層１２４は、紫外線硬化型樹脂により紫外線成形法によって形成される例を示したが、これに限らず、例えば、いずれか一方又は双方が熱可塑性樹脂等により押し出し成形により形成されてもよい。
なお、第１光学形状層１２２を押し出し成形等によって形成する場合、十分な厚みや剛性が確保できるのであれば、基材層１２１を省略してもよい。
【００６２】
（６）各実施形態において、基材層１２１、第１光学形状層１２２、第２光学形状層１２４、充填層１２６等は、光透過性を有し、拡散材等を含有していない例を上げて説明したが、これに限らず、例えば、１つ以上の層が所定の透過率となるように顔料や染料等を含有して着色層となっていてもよいし、光を拡散する拡散材を含有していてもよい。また、拡散材を含有する拡散層や、顔料等を含有する着色層等を積層してもよい。
【００６３】
（７）各実施形態において、第１単位光学形状１２３は、略三角柱形状であり、第２単位光学形状１２５は、略台形柱形状である例を示したが、これに限らず、例えば、楕円柱形状や円柱形状としてもよいし、マイクロレンズがシート面に沿って直交する２方向に配列されるマイクロレンズアレイとしてもとい。
【００６４】
なお、本実施形態及び変形形態は、適宜組み合わせて用いることもできるが、詳細な説明は省略する。また、本発明は以上説明した各実施形態によって限定されることはない。
【符号の説明】
【００６５】
１    透過型表示装置
１０    面光源装置
１１    ＬＣＤパネル
１２，２２，３２    光拡散シート
１２１    基材層
１２２    第１光学形状層
１２３    第１単位光学形状
１２４    第２光学形状層
１２５    第２単位光学形状
１２６    充填層
１２７    表面機能層
【図１】
2013003272.tif 000003
【図２】
2013003272.tif 000004
【図３】
2013003272.tif 000005
【図４】
2013003272.tif 000006
【図５】
2013003272.tif 000007
【図６】
2013003272.tif 000008
【図７】
2013003272.tif 000009
【図８】
2013003272.tif 000010
【図９】
2013003272.tif 000011
【図１０】
2013003272.tif 000012
【図１１】
2013003272.tif 000013
【図１２】
2013003272.tif 000014
【図１３】
2013003272.tif 000015
【図１４】
2013003272.tif 000016
【図１５】
2013003272.tif 000017